【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
複数の撮影装置により取得される複数の撮影画像に基づいて生成される仮想視点画像を生成するための仮想視点の視点位置及び仮想視点からの視線方向を指定するためのユーザ指定を受け付ける受付手段と、
前記複数の撮影装置により撮影される撮影対象領域において行われるイベントの種類に基づいて決定される制限情報に基づいて、前記受付手段が受け付けるユーザ指定により指定される仮想視点の視点位置及び仮想視点からの視線方向に対応する仮想視点画像の出力を制御する制御手段と
を有することを特徴とする情報処理装置。
【請求項２】
前記制御手段は、前記受付手段が受け付けるユーザ指定により指定される仮想視点の視点位置及び仮想視点からの視線方向のうち少なくとも一方が、前記イベントの種類に基づいて決定される制限情報が示す条件を満たす場合、前記受付手段が受け付けるユーザ指定により指定される仮想視点の視点位置及び仮想視点からの視線方向に対応する仮想視点画像が出力されないように制御することを特徴とする請求項１に記載の情報処理装置。
【請求項３】
前記制限情報が示す条件は、仮想視点の視点位置と、前記撮影対象領域における被写体との距離が所定の閾値未満であることを表すことを特徴とする請求項２に記載の情報処理装置。
【請求項４】
前記所定の閾値は、前記撮影対象領域における第１の部分領域に含まれる被写体と第２の部分領域に含まれる被写体とで異なることを特徴とする請求項３に記載の情報処理装置。
【請求項５】
前記撮影対象領域において行われるイベントがスポーツである場合、前記第１の部分領域及び前記第２の部分領域は、それぞれ前記撮影対象領域において競技が行われる競技領域、及び、前記撮影対象領域における観客席であり、
前記観客席に含まれる被写体に対応する所定の閾値は、前記競技領域に含まれる被写体に対応する所定の閾値よりも大きいことを特徴とする請求項４に記載の情報処理装置。
【請求項６】
前記撮影対象領域において行われるイベントがコンサートである場合、前記第１の部分領域及び前記第２の部分領域は、それぞれ前記撮影対象領域におけるステージ及び観客席であり、
前記観客席に含まれる被写体に対応する所定の閾値は、前記ステージに含まれる被写体に対応する所定の閾値よりも大きいことを特徴とする請求項４に記載の情報処理装置。
【請求項７】
前記制御手段は、前記受付手段が受け付けたユーザ指定により指定される仮想視点の視点位置及び仮想視点からの視線方向のうち少なくとも一方を変更することにより、前記受付手段が受け付けるユーザ指定により指定される仮想視点の視点位置及び仮想視点からの視線方向に対応する仮想視点画像が出力されないように制御することを特徴とする請求項１乃至６のいずれか１項に記載の情報処理装置。
【請求項８】
前記制御手段は、前記受付手段が受け付けたユーザ指定により指定される仮想視点の視点位置及び仮想視点からの視線方向のうち少なくとも一方を使用しないことにより、前記受付手段が受け付けるユーザ指定により指定される仮想視点の視点位置及び仮想視点からの視線方向に対応する仮想視点画像が出力されないように制御することを特徴とする請求項１乃至６のいずれか１項に記載の情報処理装置。
【請求項９】
前記制御手段は、前記イベントの種類に基づいて決定される制限情報が示す条件を満たす仮想視点の視点位置及び仮想視点からの視線方向を指定するためのユーザ指定を前記受付手段が受け付けないように制御することにより、前記受付手段が受け付けるユーザ指定により指定される仮想視点の視点位置及び仮想視点からの視線方向に対応する仮想視点画像が出力されないように制御することを特徴とする請求項１乃至６のいずれか１項に記載の情報処理装置。
【請求項１０】
前記制御手段は、前記受付手段が受け付けたユーザ指定により指定される仮想視点の視点位置及び仮想視点からの視線方向に対応する仮想視点画像に対し視認が困難な画像にするための画像処理を施すことにより、前記受付手段が受け付けるユーザ指定により指定される仮想視点の視点位置及び仮想視点からの視線方向に対応する仮想視点画像が出力されないように制御することを特徴とする請求項１乃至６のいずれか１項に記載の情報処理装置。
【請求項１１】
前記制御手段は、さらに、前記イベントが行われる場所に基づいて決定される制限情報に基づいて、前記受付手段が受け付けるユーザ指定により指定される仮想視点の視点位置及び仮想視点からの視線方向に対応する仮想視点画像の出力を制御することを特徴とする請求項１乃至１０のいずれか１項に記載の情報処理装置。
【請求項１２】
前記制御手段は、さらに、前記イベントにおける時間帯を示す情報に基づいて決定される制限情報に基づいて、前記受付手段が受け付けるユーザ指定により指定される仮想視点の視点位置及び仮想視点からの視線方向に対応する仮想視点画像の出力を制御することを特徴とする請求項１乃至１１のいずれか１項に記載の情報処理装置。
【請求項１３】
前記制御手段は、さらに、ユーザ属性に基づいて決定される制限情報に基づいて、前記受付手段が受け付けるユーザ指定により指定される仮想視点の視点位置及び仮想視点からの視線方向に対応する仮想視点画像の出力を制御することを特徴とする請求項１乃至１２のいずれか１項に記載の情報処理装置。
【請求項１４】
前記イベントの種類は、ユーザ指定に基づいて決定されることを特徴とする請求項１乃至１３のいずれか１項に記載の情報処理装置。
【請求項１５】
前記制限情報は、前記撮影対象領域において行われる複数のイベントごとに異なることを特徴とする請求項１乃至１４のいずれか１項に記載の情報処理装置。
【請求項１６】
複数の撮影装置により取得される複数の撮影画像に基づいて生成される仮想視点画像を生成するための仮想視点の視点位置及び仮想視点からの視線方向を指定するためのユーザ指定を受け付ける受付工程と、
前記複数の撮影装置により撮影される撮影対象領域において行われるイベントの種類に基づいて決定される制限情報に基づいて、前記受付工程において受け付けるユーザ指定により指定される仮想視点の視点位置及び仮想視点からの視線方向に対応する仮想視点画像の出力を制御する制御工程と
を有することを特徴とする情報処理方法。
【請求項１７】
コンピュータを、請求項１乃至１５のいずれか１項に記載の情報処理装置として機能させるためのプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、情報処理装置、情報処理方法及びプログラムに関する。
【手続補正４】
【補正対象書類名】明細書
【補正対象項目名】０００６
【補正方法】変更
【補正の内容】
【０００６】
本発明はこのような問題点に鑑みなされたもので、イベントに適した仮想視点画像を提供することを目的とする。
【手続補正５】
【補正対象書類名】明細書
【補正対象項目名】０００７
【補正方法】変更
【補正の内容】
【０００７】
そこで、本発明は、情報処理装置であって、複数の撮影装置により取得される複数の撮影画像に基づいて生成される仮想視点画像を生成するための仮想視点の視点位置及び仮想視点からの視線方向を指定するためのユーザ指定を受け付ける受付手段と、前記複数の撮影装置により撮影される撮影対象領域において行われるイベントの種類に基づいて決定される制限情報に基づいて、前記受付手段が受け付けるユーザ指定により指定される仮想視点の視点位置及び仮想視点からの視線方向に対応する仮想視点画像の出力を制御する制御手段とを有することを特徴とする。
【手続補正６】
【補正対象書類名】明細書
【補正対象項目名】０００８
【補正方法】変更
【補正の内容】
【０００８】
本発明によれば、イベントに適した仮想視点画像を提供することができる。